(57)【要約】【課題】太陽光や蛍光灯の光を当て、内部の水の不純物を分解し、水を無害化させて、抗菌，消臭，防汚機能を有する水を生成させることを目的とする。【解決手段】内部に水を入れることのできる透光性の容器１の内壁面には、酸化チタンを含む光触媒がコーティングされている。【選択図】                図１
2004306991.tif 000002
【特許請求の範囲】
【請求項１】
内部に水を入れることのできる透光性の容器であって、該容器の内壁面には、酸化チタンを含む光触媒がコーティングされていることを特徴とする容器。
【請求項２】
内部の水を噴霧し得る噴霧機構部が備えられていることを特徴とする請求項１に記載の容器。
【発明の詳細な説明】
【０００１】
【発明の属する技術分野】
この発明は、内部に水を入れることのできる容器に関するものである。
【０００２】
【従来の技術】
従来、二酸化チタンを配合した樹脂で容器を形成して、外周に雑菌等が付着しないようにした容器が存在する（例えば特許文献１参照。）。
【０００３】
【特許文献１】
特開２０００−２６４３２５号公報
【０００４】
【発明が解決しようとする課題】
容器内に入れられる水そのものの不純物を分解し無害化して、容器内の水を多用途に使用できるように構成した容器は存在しないものであった。
【０００５】
【課題を解決するための手段】
本発明は、上記従来の問題点に鑑み案出したものであって、抗菌，消臭，防汚機能のある水を生成させることのできる容器を提供せんことを目的とし、その第１の要旨は、内部に水を入れることのできる透光性の容器であって、該容器の内壁面には、酸化チタンを含む光触媒がコーティングされていることである。
また、第２の要旨は、内部の水を噴霧し得る噴霧機構部が備えられていることである。
【０００６】
【発明の実施の形態】
以下、本発明の実施例を図面に基づいて説明する。
図１は、第１実施例の容器の分解斜視図であり、図１の容器１は、プラスチックス，ガラス等の透光性のある素材で形成されており、内部に水を溜めることができ、容器１の上部には、外周にネジを形成したネジ部１ａが一体形成されている。
このネジ部１ａに対し、容器１の上方よりネジ蓋２を着脱可能に螺着できるように構成され、ネジ蓋２内には、ポンプ機能を有するポンプ部３が設けられており、このポンプ部３から容器１内に垂下状にホース４が延出されている。
また、ネジ蓋２の上部には、ノズル６を備えた押圧操作部５が設けられており、この押圧操作部５を指で上方より押すことにより、前記ポンプ部３を介して容器１内の水がホース４内を上昇してノズル６から噴霧されるように構成され、このポンプ部３，ホース４，押圧操作部５で噴霧機構部Ｍが形成されている。
なお、押圧操作部５を覆蓋できる着脱可能なキャップ７をネジ蓋２の上方に被せた構造となっている。
【０００７】
本例の容器１の内壁面には、１／１０００ｍｍ程度の厚みのコーティング膜が形成されており、このコーティング膜は粒径５０ｎｍ以下の微細な酸化チタンを含んでおり、酸化チタンの結晶形がアナターゼであり、アナターゼ微粒子が水中に分散しているアナターゼ分散液が、容器１の内周面に塗布されて、コーティング膜が形成されている。
なお、アナターゼ分散液は、例えば、チタン含有液体から沈殿形成によって形成した水酸化チタン、若しくはチタン酸化物を水中に分散した液に、過酸化物を添加してベルオキソチタン溶液とした後に、ベルオキソチタン溶液を加熱処理して得られたものであり、このアナターゼ分散液は、常温において安定しており、水以外に特別な助剤を必要とせず、有機物やハロゲン等を含まない中性なものであり、容器１の内周面に塗布してコーティング膜を形成させる場合に、容器１の内周面に対する密着性が良く、低温で緻密に密着させることができるため、高温で加熱して焼成させる工程は必要なく、容器１がプラスチックス，低融点ガラスで構成されている場合であっても、容器１の内周面にアナターゼ分散液を塗布して乾燥させるのみで、良好に１／１０００ｍｍ程度のコーティング膜を容器１の内周面に形成させることができるものである。
【０００８】
このように、内周面に酸化チタンを含む光触媒がコーティングされた容器１内に、水道水等の水を入れておき、太陽光や蛍光灯の紫外線を容器１に当てると、容器１は透光性のある透明または半透明に形成されているため、光は容器１の内周面のコーティング膜に作用し、酸化チタンに紫外線が当たることにより、光電効果により電子と正孔が発生し、酸化チタンが水と反応して強力な酸化作用を起こし、１５分〜３０分程度で、水の不純物を分解し、水を無害化することができるものである。
なお、酸化チタン自体は無害であり、分解した後の分解物は水と二酸化炭素であるため、反応後の容器１内の水を飲んでも人体に影響がなく、この容器１内の反応後の水の水質は、財団法人日本食品分析センターにて分析されており、その無害性は証明されている。
【０００９】
このような容器１内の水は、抗菌，消臭，防汚機能が付加されたものとなり、いろいろな用途に使用することができるものとなる。
例えば、顔に噴霧して肌水として使用することもでき、またニキビ治療にも効果があり、目に噴霧して目の洗浄等を行うこともでき、花粉症対策にも効果が得られるものである。
また、うがい水として使用することもでき、更には、アイロン掛けや、眼鏡ふきに用いることができ、洗濯水としても、また拭き掃除用の水としても用いることができ、汚れを綺麗に拭き取ることができて、汚れも付きにくいものとなる。
さらに、洗車用に使用することにより、水垢やホイルキャップの汚れ等を簡単に落とすことができるものとなる。
また、おしぼりを洗ったり作る時に使用することにより、嫌な臭いを消すことができ、空中に噴霧することで、空中のタバコの臭い等を消し去ることも可能となる。
また、植木等の園芸物にこの水を与えると、植物が元気になり、花も長持ちするものとなる。
更には、ペットの毛に噴霧しブラッシングすることで、ペットの臭いや雑菌を取り除くことができるものである。
【００１０】
人間においても、髪の毛にこの水を噴霧することにより、髪の毛がまとまりやすくなり、タバコの臭い等も付きにくいものとなる。
その他、金魚鉢内にこの水を入れることにより、金魚鉢内の水の汚れが少なくなった事例や、餅やパン等にこの水を噴霧しておくことにより、カビが付きにくく、また臭いも少なくなったという事例があり、電子レンジの中の汚れや魚焼きグリルの汚れ取りにも使用して、油を良好に取り去ることができ、また臭いも除去できた事例もある。
その他、あらゆる用途にこの水を使用することで、有用な効果が得られている。
【００１１】
次に、図２の容器は、容器１の容量が大となったものであり、縦長の容器１のネジ部１ａには、ネジ蓋２を着脱可能に螺着させることができ、ネジ蓋２から垂下されているホース４の上端には、押圧操作部５を取り付けて、押圧操作部５を指で押して、ノズル６から容器１内の水を噴霧させることができるものであり、容器１の上部にはキャップ７を被せて覆蓋できるように構成されている。
【００１２】
さらに図３の容器は、更に容量を大きくしたものであり、図３の容器１の上部のネジ部１ａには、ネジ蓋２が着脱可能に取り付けられるが、ネジ蓋２には一体状にポンプ部３とノズル６を備えた噴霧機構部Ｍが備えられており、ポンプ３を操作するために、指を掛けることのできる操作ハンドル８が設けられている。また、ノズル６の先端には、ノズルを開閉させるノズルキャップ９が設けられている。また、ホース４の下端には、ストレーナ１０が設けられている。
このような容器１においても、内部に水を入れ、容器１の内周面にコーティングされている酸化チタンに対し、太陽光や蛍光灯の光を１５分〜３０分程度当てて反応させ、内部の水に抗菌，消臭，防汚機能を付加させることができ、操作ハンドル８を操作して、ノズル６から水を噴霧させて空中に散布して、空中のタバコの臭い等を除去することができ、また植物の葉等に散布して、葉等が汚れないようにすることができるものである。
【００１３】
さらに図４は、ペットボトルタイプの容器１の内周面全域に酸化チタンを含む光触媒がコーティングされているものであり、この容器１の上端のネジ部１ａには、着脱可能にネジ蓋２を螺着させて、容器１を蓋することができるものであり、水を容器１内に入れて、酸化チタンを含む光触媒の反応で、不純物を分解し無害化して、前述した種々の用途に、比較的大量の水を使用することができるものとなる。
【００１４】
さらには、もっと容量の大なる容器１を製造して、この容器１の内周面にも同様に酸化チタンを含む光触媒をコーティングさせておき、その内部に水を入れて、光触媒の作用で、例えば低濃度の有機物等をゆっくりと分解させて、不純物を分解させ、水を無害化させることができ、例えば、庭の植物用の水等として使用することができるものである。
【００１５】
【発明の効果】
本発明の容器は、内部に水を入れることのできる透光性の容器であって、該容器の内壁面には、酸化チタンを含む光触媒がコーティングされていることにより、容器内部に水を入れて、太陽光や蛍光灯の光の当たる場所に１５分〜３０分程度おくことにより、内部の水を光触媒と反応させて、不純物を分解させ、無害化させて、種々の用途に水を使用することができるものとなる。
【００１６】
また、内部の水を噴霧し得る噴霧機構部が備えられていることにより、噴霧機構部を介して、内部の水を空中に噴霧して、空中のタバコの臭い等を取ることができ、また、顔や目等に噴霧して使用することもでき、その他、アイロン掛けや眼鏡ふき用に噴霧して使用することもでき、植物の葉等にも良好に水を噴霧させて使用範囲を広めることができるものとなる。
【図面の簡単な説明】
【図１】第１実施例の小型容器の分解斜視図である。
【図２】さらに大形の容器の分解斜視図である。
【図３】操作ハンドルを備えた大形の容器の斜視図である。
【図４】さらに大形のペットボトル形状の容器の斜視図である。
【符号の説明】
１    容器
１ａ    ネジ部
２    ネジ蓋
３    ポンプ部
４    ホース
５    押圧操作部
６    ノズル
７    キャップ
８    操作ハンドル
９    ノズルキャップ
１０    ストレーナ
Ｍ    噴霧機構部
【図１】
2004306991.tif 000003
【図２】
2004306991.tif 000004
【図３】
2004306991.tif 000005
【図４】
2004306991.tif 000006